(57)【要約】【課題】用途に応じた形状を有する天板を選択できるだけでなく、使用しなくなった天板の保管スペースを必要とせず、搬送・保管を必要としない天板ユニット及びこれを用いた机を提供する。【解決手段】２枚の第１，第２天板５１，５２の縁部を連結一体化し、かつ、いずれの前記第１，第２天板５１，５２も脚体１０に着脱可能に取り付けできる構成としてある。【選択図】図２
2019115568.tif 000002
【特許請求の範囲】
【請求項１】
複数枚の天板の縁部を連結一体化し、かつ、いずれの前記天板も脚体に着脱可能に取り付けできることを特徴とする天板ユニット。
【請求項２】
複数枚の天板を相互に直交するように連結一体化したことを特徴とする請求項１に記載の天板ユニット。
【請求項３】
２枚の天板のうち、一方の天板の木口を残る他の天板の木口に突き合わせて連結一体化したことを特徴とする請求項１または２に記載の天板ユニット。
【請求項４】
２枚の天板の木口を留つぎで連結一体化したことを特徴とする請求項１ないし３のいずれか１項に記載の天板ユニット。
【請求項５】
脚体に、請求項１ないし４のいずれか１項に記載の天板ユニットの天板を、着脱可能に取り付けたことを特徴とする机。
【請求項６】
前記脚体が、
立設した少なくとも１つの縦枠体からなることを特徴とする請求項５に記載の机。
【請求項７】
前記縦枠体が、支持台に立設されていることを特徴とする請求項６に記載の机。
【請求項８】
前記脚体が、
前記縦枠体の外側面の中央に着脱可能で、かつ、天板の内向面に着脱可能な受け金具を有することを特徴とする請求項６または７に記載の机。
【請求項９】
前記脚体が、
前記縦枠体の外側面の両側縁部に着脱可能で、かつ、天板の内向面に着脱可能な支持フレームを有することを特徴とする請求項６ないし８のいずれか１項に記載の机。
【請求項１０】
前記脚体が、
立設した少なくとも１本の支柱からなることを特徴とする請求項５に記載の机。
【請求項１１】
前記支柱が、
支持台に立設されていることを特徴とする請求項１０に記載の机。
【発明の詳細な説明】
【技術分野】
【０００１】
本発明は複数枚の天板の縁部を連結一体化することにより、用途に応じて形状の異なる天板を選択して使用できる天板ユニット、および、これを用いた作業机、勉強机、食卓等の机に関する。
【背景技術】
【０００２】
従来、天板を備えた机としては、例えば、複数の身障者が着席して食事する身障者用テーブルがある（特許文献１参照）。前記身障者用テーブルの使用者には、例えば、通常の椅子を利用して食事する人、車椅子を利用して食事する人、あるいは、食事する際に介護者の補助を必要とする人がいる。このため、前述のような身障者用テーブルでは、使用者に応じて異なる形状の天板を使用したい場合がある。
【先行技術文献】
【特許文献】
【０００３】
【特許文献１】特開２０００−２３２９１７号公報
【発明の概要】
【発明が解決しようとする課題】
【０００４】
しかしながら、天板１１を異なる形状の天板に交換した場合、取り外して使用しなくなった天板１１を保管スペースまで搬送して保管する必要がある。このため、保管スペースが必要になるだけでなく、天板１１を保管スペースに搬送して保管しなければならず、手間がかかるという問題点がある。
同様に、作業机，勉強机であっても、作業，学習の効率化を図るため、作業，学習の内容に応じて天板の形状，傾きを変更したい場合がある。
本発明は、前記問題点に鑑み、用途に応じた形状を有する天板を選択できるとともに、使用しなくなった天板の保管スペースを必要とせず、搬送・保管作業を必要としない天板ユニット及びこれを用いた机を提供することを課題とする。
【課題を解決するための手段】
【０００５】
本発明に係る天板ユニットは、前記課題を解決すべく、複数枚の天板の縁部を連結一体化し、かつ、いずれの前記天板も脚体に着脱可能に取り付けできる構成としてある。
【発明の効果】
【０００６】
本発明によれば、複数枚の天板の縁部を連結一体化してある。このため、天板ユニットを反転することにより、用途に応じて形状の異なる天板を選択して使用できる。そして、使用しない天板を幕板として使用できるので、使用しない天板の保管スペースが不要になるとともに、使用しない天板を保管スペースに搬送して保管する必要がない。
【０００７】
本発明の実施形態としては、複数枚の天板を相互に直交するように連結一体化してもよい。また、２枚の天板のうち、少なくとも一方の天板の木口を突き合わせて連結一体化してもよい。そして、２枚の天板の木口を留つぎで連結一体化してもよい。
本実施形態によれば、種々の方法で連結一体化することにより、必要に応じた形状を有する天板ユニットが得られる。
なお、本願において縁部には板状体の端面である木口を含む概念である。そして、木口には、直角にカットされた端面に限らず、斜めにカットされた端面、例えば、４５度に傾斜する傾斜面も含む。
【０００８】
本発明に係る机は、脚体に、前述の天板ユニットの天板を着脱可能に取り付けた構成としてある。
【０００９】
本発明によれば、複数枚の天板の縁部を連結一体化した天板ユニットを反転することにより、用途に応じて形状の異なる天板を選択して使用できる。そして、使用しない天板を幕板として使用できるので、使用しない天板の保管スペースが不要になるとともに、使用しない天板を保管スペースに搬送して保管する必要がない机が得られる。
【００１０】
本発明に係る実施形態としては、前記脚体が、支持台と、前記支持台に立設した少なくとも１つの縦枠体と、からなる構成としてある。
本実施形態によれば、複数の縦枠体を脚体に組み付けることにより、複数台の天板ユニットを組み付けた机が得られる。
【００１１】
本発明に係る他の実施形態としては、前記脚体が、前記縦枠体の外側面の中央に固定可能な受け金具と、前記縦枠体の外側面の両側縁部に着脱可能、かつ、高さ調整可能に取り付けできる支持フレームと、を設けた構成としてある。
本実施形態によれば、脚体に天板ユニットを強固、かつ、ガタツキなく固定できる机を得られるという効果がある。
【図面の簡単な説明】
【００１２】
【図１】本発明に係る天板ユニットの第１実施形態を適用した介護用食卓を示す正面図である。
【図２】図１で示した介護用食卓の右側面図である。
【図３】図１で示した介護用食卓のＡ−Ａ線断面図である。
【図４】図１で示した介護用食卓の平面図である。
【図５】図１で示した介護用食卓の天板を取り外した状態を示す平面図である。
【図６】図５で示した支持台単体の平面図である。
【図７】図５で示した支持台の右側面図である。
【図８】図５で示した支持台の部分破断正面図である。
【図９】図１で示した縦枠体の正面図である。
【図１０】図９で示した縦枠体のＢ−Ｂ線断面図である。
【図１１】図１で示した受け金具の斜視図である。
【図１２】図１で示した支持フレームの平面図である。
【図１３】図１で示した支持フレームの正面図である。
【図１４】図１３で示した支持フレームの部分拡大図である。
【図１５】図１で示した天板ユニットの分解斜視図である。
【図１６】図１で示した天板ユニットを下方側から見た場合の斜視図である。
【図１７】本発明に係る天板ユニットの第２実施形態を示す斜視図である。
【図１８】本発明に係る天板ユニットの第３実施形態を示す斜視図である。
【図１９】本発明に係る天板ユニットの第４実施形態の使用状態を示す斜視図である。
【図２０】本発明に係る天板ユニットの第５実施形態の使用状態を示す斜視図である。
【発明を実施するための形態】
【００１３】
本発明に係る天板ユニットの実施形態を図１ないし図２０の添付図面に従って説明する。
第１実施形態に係る天板ユニットを適用した介護用食卓は、図１ないし図１６の添付図面に示すように、脚体１０と、天板ユニット５０とで構成されている。
【００１４】
前記脚体１０は、図１に示すように、支持台１１と、この支持台１１に載置される２組の縦枠体２０，２０と、この縦枠体２０の外側面の中央に固定できる受け金具３０と、前記縦枠体２０の外側面の両側縁部に着脱可能に取り付けできる支持フレーム４０と、で構成されている。
【００１５】
前記支持台１１は、図６に示すように、平行に配置された一対の脚部１２，１２の間に浅箱形状の連結棹１３を架け渡し、平面略Ｈ字形状に形成されている。
前記脚部１２の上面中央には支持板１４を溶接で一体化してある（図７）。そして、前記脚部１２にはキャスター１５が取り付けられている。なお、前記脚部１２は、小型の断面コ字形状の型材に大型の断面コ字形状の型材を被せることにより、形成されている。所望の強度を確保しつつ、薄型の脚部１２を形成するためである。
前記連結棹１３は、図６に示すように、その対向する内側面に複数本の補強材１６を架け渡して補強してある。また、前記連結棹１３は、その対向する両側面にナット（図示せず）を備えたナット孔１３ａが所定のピッチで設けられている（図８）。そして、前記連結棹１３は、その両端部を支持板１４の貫通孔１４ａを介して前記脚部１２にボルトで連結一体化されている。
【００１６】
前記縦枠体２０は、図９および図１０に示すように、断面方形の角パイプで形成された２枚の方形枠体２１，２１を平行に対向させ、かつ、連結体２６および２本の連結棒２７で連結一体化してある。
方形枠体２１は、一対の縦桟２２，２２の上下端部に上桟２３および下桟２４をそれぞれ架け渡して形成してある。さらに、前記方形枠体２１は、前記上桟２３および前記下桟２４に中間桟２５を架け渡して連結一体化してある。前記縦桟２２の外向面には複数の係合溝２２ａを所定のピッチで同一直線上に配置してある。
また、前記下桟２４の下辺縁部を断面コ字形状の連結体２６に沿って溶接一体化してある。前記連結体２６には所定のピッチで貫通孔２６ａを設けてある。
そして、中間桟２５は、その外向面の上端部に２個のナット孔２５ａを所定のピッチで設けてある。前記ナット孔２５ａには後述するＬ字形状の受け金具３０をネジ止めできる。
【００１７】
構成部品を組み付ける場合には、まず、支持台１１の連結棹１３に前記縦枠体２０の連結体２６を被せる。そして、連結体２６の貫通孔２６ａを介して連結棹１３のナット孔１３ａにボルトを螺合することにより、支持台１１に縦枠体２０を強固に固定できる。
【００１８】
前記受け金具３０は、図１１に示すように、短冊状の金属板を直角に屈曲して取付部３１と受け部３２とを形成してある。前記取付部３１および受け部３２には長孔３１ａ，３２ａをそれぞれ設けてある。また、前記受け部３２には長孔３２ａと同一直線上に位置決め孔３２ｂを設けてある。
そして、前記取付部３１の長孔３１ａから挿入したボルト（図示せず）を、前記縦枠体２０の中間桟２５に設けたナット孔２５ａに螺合することにより、中間桟２５に受け金具３０を所望の高さで固定できる。
【００１９】
支持フレーム４０は、図１２ないし図１４に示すように、板材にプレス加工を施して形成してある。支持フレーム４０は、その上端縁部を内側に折り曲げて受け部４１を形成してある。受け部４１には長孔４１ａおよび位置決め孔４１ｂを設けてある。また、支持フレーム４０は、その片側縁部を内側に折り曲げて位置規制リブ４２を形成してある。支持フレーム４０の支持強度を高めるとともに、ガタツキの発生を抑制するためである。そして、前記支持フレーム４０は、位置規制リブ４２の上方および下方に係止爪部４３，４４をそれぞれ設けてある。前記係止爪部４３には位置決め爪部４５を上方に延在してある。前記位置決め爪部４５は、支持フレーム４０の位置決め作業を容易にするだけでなく、天板ユニット５０を不意に持ち上げた際に、脚体１０から天板ユニット５０が脱落するという不測の事態を防止する。さらに、位置決め爪部４５の近傍にはテーパ面４６を形成してある。支持フレーム４０の取付作業を妨げないようにするためである。
そして、支持フレーム４０の位置決め爪部４５を縦桟２２の係合溝２２ａに適宜、選択して挿入し、係止爪部４３，４４を係止する。これにより、縦枠体２０に支持フレーム４０を所望の高さで位置決めできる。
なお、位置規制リブ４２は必ずしも必要ではなく、必要に応じて設ければよい。
【００２０】
天板ユニット５０は、図１５に示すように、第１天板５１の片側縁部と第２天板５２の木口とを相互に直交するように組み付けて連結一体化したものである。第１天板５１は平面略長方形であり、第２天板５２は手前側の片側縁部が内側に湾曲している。また、前記第１，第２天板５１，５２の内向面隅部には補強フレーム５３を取り付けてある。前記補強フレーム５３は、略Ｈ字形状に打ち抜いた金属板を直角に折り曲げて形成されている。
また、図１６に示すように、第１，第２天板５１，５２の内向面のうち、前記受け金具３０の長孔３２ａを介して螺合できる位置に、ナットを埋設したナット孔５１ａ，５２ａをそれぞれ設けてある。そして、第１，第２天板５１，５２の内向面の両側縁部のうち、前記支持フレーム４０の長孔４１ａを介して螺合できる位置に、ナットを埋設したナット孔５１ｂ，５２ｂをそれぞれ設けてある。さらに、組み付けた第１，第２天板５１，５２の内向面の縁部のうち、前述の受け金具３０の位置決め孔３２ｂおよび支持フレーム４０の位置決め孔４１ｂに嵌合できる位置に、位置決め突起５１ｃ，５２ｃをそれぞれ設けてある。
【００２１】
なお、第１，第２天板５１，５２を連結一体する方法としては、前述の方法に限らず、例えば、打ち付け接ぎ、追入れ接ぎの他、留つぎ、組接ぎであってもよく、また、蝶番を使用して回動可能に連結一体化してもよい。留つぎとしては、通常の留つぎに限らず、例えば、雇いざね留つぎ、挽き込み留つぎ、だぼ留つぎ、あるいは、三方留め継ぎであってもよい。
【００２２】
組み付け方法としては、まず、縦桟２２の係合溝２２ａを適宜、選択して支持フレーム４０の位置決め爪部４５を係合した後、係合溝２２ａに係止爪部４３，４４を係止して取り付ける。そして、対向する方形枠体２１，２１の間に天板ユニット５０の第２天板５２を挿入する。ついで、支持フレーム４０の受け部４１に第１天板５１を載置し、位置決め孔４１ｂに第１天板５１の位置決め突起５１ｃを嵌合して位置決めする。これにより、第１天板５１のナット孔５１ｂが支持フレーム４０の長孔４１ａに位置決めされる。そして、ボルト（図示せず）を第１天板５１のナット孔５１ｂに螺合する。
ついで、受け金具３０の受け部３２を第１天板５１の内向面に押し当て、位置決め孔３２ｂを位置決め突起５１ｃに嵌合することにより、受け金具３０が位置決めされる。さらに、受け金具３０の長孔３１ａを介して中間桟２５のナット孔２５ａにボルトを螺合することにより、受け金具３０を中間桟２５に固定する。そして、受け金具３０の長孔３２ａを介して天板ユニット５０のナット孔５１ａにボルトを螺合する。これにより、天板ユニット５０を脚体１０にガタツキなく固定できる。
同様に、他の天板ユニット５０も、第１，第２天板５１，５２を適宜、選択して固定することにより、所望の形状を有する天板を備えた介護用食卓が得られる。
【００２３】
そして、天板ユニット５０の第１，第２天板５１，５２を異なる高さおよび異なる形状に変更する場合には、第１天板５１のナット孔５１ａ，５１ｂからボルトを外し、脚体１０から天板ユニット５０を取り外す。
ついで、支持フレーム４０の位置決め爪部４５を、所望の高さの係合溝２２ａに係合することにより、支持フレーム４０を所望の高さに調整する。そして、方形枠体２１，２１に螺合した受け金具３０のボルトを緩める。さらに、天板ユニット５０を反転し、第１天板５１を方形枠体２１，２１の間に挿入し、第２天板５２を支持フレーム４０に載置する。そして、前述と同様に、第２天板５２のナット孔５２ｂに支持フレーム４０の長孔４１ａを介してボルトを螺合する。さらに、第２天板５２のナット孔５２ａに受け金具３０の長孔３２ａを介してボルト（図示せず）を螺合することにより、脚体１０に天板ユニット５０をガタツキなく固定できる。
以後、同様な手順で天板ユニット５０の分解，組立を行うことにより、用途に応じた形状を有する天板を選択でき、所望の形状を有する天板を備えた介護用食卓が得られる。
【００２４】
本発明の第２実施形態は、図１７に示すように、奥行き寸法の大きい第１天板５１と、奥行き寸法の小さい第２天板５２とで形成された天板ユニット５０を使用する場合である。
奥行き寸法の異なる第１，第２天板５１，５２を使用する点を除き、他は前述の第１実施形態と同様である。このため、第１実施形態と同一部分については同一番号を付して説明を省略する。
【００２５】
本発明の第３実施形態に係る天板ユニット５０は、図１８に示すように、３枚の第１，第２，第３天板５１，５２，５４を相互に直交するように連結一体化した場合である。特に、第３天板５４は、ナット孔５４ａ，５４ｂおよび位置決め突起５４ｃを有するとともに、カップ受けとなる貫通孔５５を設けてある。
第３実施形態を使用する場合には、例えば、通常の使用時には第１天板５１を選択し、子供が使用するときには第２天板５２を選択し、食事するときには第３天板５４を選択して使用してもよい。なお、前記天板ユニット５０には、必要に応じて補強フレームを取り付けておいてもよい。
他は前述の実施形態と同様であるので、同一部分には同一番号を付して説明を省略する。
【００２６】
第４実施形態に係る天板ユニット５０は、図１９に示すように、１本の支柱１７からなる脚体１０に天板ユニット５０を取り付けた場合である。前記支柱１７は支持台１８に立設されている。
【００２７】
第５実施形態に係る天板ユニット５０は、図２０に示すように、２本の支柱１７からなる脚体１０に天板ユニット５０を取り付けた場合である。２本の支柱１７は支持台１８に立設されている。また、天板ユニット５０は、第１天板５１の木口に２枚の第２天板５２の縁部を配置し、並設した場合である。
【００２８】
前述の実施形態では、複数枚の天板を相互に直交するように連結一体化する場合について説明したが、必ずしもこれに限らない。例えば、一方の天板が作業しやすいように、一方の天板の内向面にテーパ部材（図示せず）を固定することにより、所定の角度で傾斜した天板として使用してもよい。
また、２枚の天板を連結一体化する場合には、必ずしも回動不能に固定一体化する必要はなく、ヒンジ部材を介し、相互に回動可能に連結一体化してもよい。
【００２９】
前述の実施形態では、向かい合わせで４人が同時に使用する机について説明したが、必ずしもこれに限らない。例えば、隣り合わせ、あるいは、向かい合わせで複数人が同時に使用する机に適用してもよい。
また、１人だけで使用する机に適用してもよい。１人で使用する机に適用する場合には、縦枠体２０は１つの方形枠体２１だけで構成すればよい。
【００３０】
本願発明は、介護用食卓に使用する場合に限らず、病室の大部屋や介護・養護施設の多床室において、ベッド間に設置する間仕切り家具のテーブルに使用してもよい。
【００３１】
本願発明の脚体は必ずしも支持台に立設する場合に限らず、例えば、床に直接、立設してもよい。また、例えば、壁体に取り付けた略Ｌ字形状の脚体に、天板ユニットを適宜、選択して取り付けてもよいことは勿論である。
【産業上の利用可能性】
【００３２】
本発明に係る天板およびこれを用いた机は、介護用食卓に使用する場合に限らず、作業机や勉強机に適用してもよいことは勿論である。
【符号の説明】
【００３３】
１０  脚体
１１  支持台
１２  脚部
１３  連結棹
１３ａ  ナット孔
１４  支持板
１４ａ  貫通孔
１５  キャスター
１６  補強材
１７  支柱
１８  支持台
２０  縦枠体
２１  方形枠体
２２  縦桟
２２ａ  係合溝
２３  上桟
２４  下桟
２５  中間桟
２６  連結体
２６ａ  貫通孔
２７  連結棒
３０  受け金具
３１  取付部
３１ａ  長孔
３２  受け部
３２ａ  長孔
３２ｂ  位置決め孔
４０  支持フレーム
４１  受け部
４１ａ  長孔
４１ｂ  位置決め孔
４２  位置規制リブ
４３  係止爪部
４４  係止爪部
４５  位置決め爪部
４６  テーパ面
５０  天板ユニット
５１  第１天板
５１ａ  ナット孔
５１ｂ  ナット孔
５１ｃ  位置決め突起
５２  第２天板
５２ａ  ナット孔
５２ｂ  ナット孔
５２ｃ  位置決め突起
５３  補強フレーム
５４  第３天板
５４ａ  ナット孔
５４ｂ  ナット孔
５４ｃ  位置決め突起
５５  貫通孔
【図１】
2019115568.tif 000003
【図２】
2019115568.tif 000004
【図３】
2019115568.tif 000005
【図４】
2019115568.tif 000006
【図５】
2019115568.tif 000007
【図６】
2019115568.tif 000008
【図７】
2019115568.tif 000009
【図８】
2019115568.tif 000010
【図９】
2019115568.tif 000011
【図１０】
2019115568.tif 000012
【図１１】
2019115568.tif 000013
【図１２】
2019115568.tif 000014
【図１３】
2019115568.tif 000015
【図１４】
2019115568.tif 000016
【図１５】
2019115568.tif 000017
【図１６】
2019115568.tif 000018
【図１７】
2019115568.tif 000019
【図１８】
2019115568.tif 000020
【図１９】
2019115568.tif 000021
【図２０】
2019115568.tif 000022